(57)【要約】【課題】電子機器において、ケーブルを筐体内のコネクタに接続する作業を行い易くするとともに、筐体内部への水の侵入のおそれを軽減する。【解決手段】電子機器は、筐体と、ケーブルクランプと、を備える。前記筐体は、開口部と、保持部と、を有し、ケーブルを接続するコネクタが内部に収容される。前記保持部は、前記開口部の外周部に配置される。前記ケーブルクランプは、ケーブル固定部と、掛合部と、を有する。前記ケーブル固定部は、複数の前記ケーブルを固定する。前記掛合部は、前記保持部に掛合する。【選択図】図１
2018007406.tif 000002
【特許請求の範囲】
【請求項１】
開口部と、
前記開口部の外周部に配置される保持部と、
を有する筐体であって、ケーブルを接続するコネクタが内部に収容される、筐体と、
複数の前記ケーブルを固定するケーブル固定部と、
前記保持部に掛合する掛合部と、
を有するケーブルクランプと、
を備えることを特徴とする電子機器。
【請求項２】
請求項１に記載の電子機器であって、
前記保持部は、前記開口部の両側壁に配置されることを特徴とする電子機器。
【請求項３】
請求項１又は２に記載の電子機器であって、
前記掛合部は、前記ケーブルクランプの両端部に配置されることを特徴とする電子機器。
【請求項４】
請求項１から３までの何れか一項に記載の電子機器であって、
前記保持部は突起であり、前記掛合部は下方を解放した凹部であることを特徴とする電子機器。
【請求項５】
請求項４に記載の電子機器であって、
前記突起は、その中心軸に沿って水平方向に延伸する棒状部材であることを特徴とする電子機器。
【請求項６】
請求項４又は５に記載の電子機器であって、
前記突起は、前記筐体において前記開口部が形成される面に対して垂直に延伸することを特徴とする電子機器。
【請求項７】
請求項４又は５に記載の電子機器であって、
前記突起は、前記筐体のほぼ垂直な面に対して垂直に延伸することを特徴とする電子機器。
【請求項８】
請求項４から７までの何れか一項に記載の電子機器であって、
前記突起は、前記筐体にネジ結合するボルトであることを特徴とする電子機器。
【請求項９】
請求項８に記載の電子機器であって、
前記ケーブルクランプにおいて、前記掛合部の周囲に、前記ボルトの頭部と前記筐体との間に挟まれる被取付部が形成されていることを特徴とする電子機器。
【請求項１０】
請求項４に記載の電子機器であって、
前記突起は、前記筐体において前記開口部が形成される面に対して平行に延伸することを特徴とする電子機器。
【請求項１１】
請求項１から３までの何れか一項に記載の電子機器であって、
前記保持部は一方を開放した凹部であり、
前記掛合部は突起であることを特徴とする電子機器。
【請求項１２】
請求項１１に記載の電子機器であって、
前記突起は、前記筐体において前記開口部が形成される面に対して平行に延伸することを特徴とする電子機器。
【請求項１３】
請求項１０又は１２に記載の電子機器であって、
前記凹部を前記突起に掛合した状態で、前記突起の軸線を中心として前記ケーブルクランプを回転可能であることを特徴とする電子機器。
【請求項１４】
請求項１から１３までの何れか一項に記載の電子機器であって、
前記ケーブル固定部は、前記ケーブルを案内するためのケーブル案内面を有し、
前記掛合部を前記保持部に掛合した状態で、前記ケーブル案内面が水平面に対して１５°以上傾斜していることを特徴とする電子機器。
【請求項１５】
請求項１から１４までの何れか一項に記載の電子機器であって、
前記筐体の前記開口部を閉鎖する閉鎖カバーを備え、
前記閉鎖カバーは、前記ケーブルクランプの上方を覆うように前記筐体に取り付けられることを特徴とする電子機器。
【請求項１６】
請求項１５に記載の電子機器であって、
前記掛合部が前記保持部に掛合された状態で、前記閉鎖カバーは、前記掛合部と前記保持部との掛合を解除する方向の前記ケーブルクランプの移動を規制することを特徴とする電子機器。
【請求項１７】
ケーブルクランプに複数のケーブルを固定し、
前記複数のケーブルを固定した状態の前記ケーブルクランプにおいて、当該ケーブルクランプに設けられる掛合部を、電子機器の筐体に形成された開口部の外周部に設けられる保持部に掛合することを特徴とするケーブル取付方法。
【発明の詳細な説明】
【技術分野】
【０００１】
本発明は、主として、ケーブルを接続可能な電子機器の構成に関する。
【背景技術】
【０００２】
従来から、ケーブルを複数本まとめてクランプするケーブルクランプが知られている。特許文献１は、この種のケーブルクランプを開示する。この特許文献１のケーブルクランプ構造は、燃料電池車の燃料電池モジュール、ラジエータ又は補機に接続される６本のケーブルを平行に並べて挟持するクランプを備える。このクランプは、ブラケットを介して車体に固定される。
【先行技術文献】
【特許文献】
【０００３】
【特許文献１】特許第５１１９９９６号公報
【発明の概要】
【発明が解決しようとする課題】
【０００４】
特許文献１は燃料電池車に関するものであるが、例えば、船舶で用いられる電子機器の筐体に接続されるケーブルをクランプで挟持することも可能である。電子機器の筐体には、通常、ケーブルを通過させるための開口部が形成されているので、その開口部の近傍にクランプを着脱可能に構成すると、ケーブルの接続作業が容易になる。
【０００５】
例えば、前記開口部が筐体の垂直な壁部に設けられている場合、その開口部の下縁から水平に突出するように床部を形成し、この床部にクランプを固定することが考えられる。
【０００６】
しかし、床部にクランプを単純にネジ止めした場合、ネジの数及び位置にもよるが、いったん固定したクランプを取り外す作業が煩雑になり、作業効率が低下するおそれがある。また、雨水等が掛かる環境で使用した場合、床部上に水が溜まり、筐体の内部に浸水するおそれもある。
【０００７】
本発明は以上の事情に鑑みてなされたものであり、その目的は、電子機器において、ケーブルを筐体内のコネクタに接続する作業を行い易くするとともに、筐体内部への水の侵入のおそれを軽減することにある。
【課題を解決するための手段及び効果】
【０００８】
本発明の解決しようとする課題は以上の如くであり、次にこの課題を解決するための手段とその効果を説明する。
【０００９】
本発明の第１の観点によれば、以下の構成の電子機器が提供される。即ち、この電子機器は、筐体と、ケーブルクランプと、を備える。前記筐体は、開口部と、保持部と、を有し、ケーブルを接続するコネクタが内部に収容される。前記保持部は、前記開口部の外周部に配置される。前記ケーブルクランプは、ケーブル固定部と、掛合部と、を有する。前記ケーブル固定部は、複数の前記ケーブルを固定する。前記掛合部は、前記保持部に掛合する。
【００１０】
これにより、掛合部が保持部に掛合することによって、筐体の開口部の外周部の保持部にケーブルクランプを配置することができるので、例えばケーブルクランプに固定した複数のケーブルを筐体内のコネクタに接続する作業が行い易くなる。また、掛合部が保持部に掛合することが可能な範囲で小さく構成することができるので、保持部及び掛合部の部分に水が溜まりにくくすることができ、防水効果を高めることができる。
【００１１】
本発明の第２の観点によれば、以下のようなケーブル取付方法が提供される。即ち、ケーブルクランプに複数のケーブルを固定する。前記複数のケーブルを固定した状態の前記ケーブルクランプにおいて、当該ケーブルクランプに設けられる掛合部を、電子機器の筐体に形成された開口部の外周部に設けられる保持部に掛合する。
【００１２】
これにより、簡単に、複数のケーブルを電子機器に取り付けることができる。
【図面の簡単な説明】
【００１３】
【図１】本発明の第１実施形態に係る表示装置において閉鎖カバーを取り外した状態を示す後方斜視図。
【図２】表示装置の後方斜視図。
【図３】ケーブルクランプの構成を示す斜視図。
【図４】少なくとも一部のケーブルをコネクタに接続した状態で、ケーブルクランプを筐体から取り外した状態を示す斜視図。
【図５】閉鎖カバーの構成を示す斜視図。
【図６】第２実施形態の表示装置において、閉鎖カバーを取り外した状態を示す後方斜視図。
【図７】第２実施形態の筐体及びケーブルクランプを用いて構成した制御装置を示す斜視図。
【発明を実施するための形態】
【００１４】
次に、図面を参照して本発明の実施の形態を説明する。
【００１５】
＜第１実施形態＞
初めに、図１及び図２を参照して、本発明の第１実施形態に係る表示装置（電子機器）１の全体的な構成について説明する。図１は、本発明の第１実施形態に係る表示装置１において閉鎖カバー４０を取り外した様子を示す後方斜視図である。図２は、表示装置１の後方斜視図である。
【００１６】
図２に示す表示装置１は、図略の舶用機器（レーダ装置、魚群探知機、航法装置等）で生成された画像を表示する装置である。表示装置１の背面側にケーブル（電気ケーブル）５の一端が接続され、ケーブル５の他端は、上記の舶用機器及び電源等に接続される。
【００１７】
図２に示すように、表示装置１は、筐体７を備える。この筐体７は、表示部１０と、ハウジング２０と、を備える。ハウジング２０は、支持台９０によって支持されるとともに、当該支持台９０に対して着脱可能となっている。
【００１８】
支持台９０には図示しないヒンジ機構が備えられており、表示部１０及びハウジング２０（筐体７）の仰角を適宜変更することができる。本実施形態の説明で「正面」「背面」等というときは、筐体７を図２の姿勢にしたときの位置関係を指すものとする。
【００１９】
図２に示す表示部１０は、当該表示部１０の正面側に画像を表示させるための図略のディスプレイ本体を備える。ディスプレイ本体は、例えば液晶ディスプレイとして構成することができるが、これに限定されない。
【００２０】
ハウジング２０は、表示部１０の背面側に配置され、背面視で略正方形となる箱状に形成されている。ハウジング２０にはフランジ２０ａが形成されており、このフランジ２０ａを介して、表示部１０がハウジング２０に対してネジ止め等の適宜の方法で取り付けられる。
【００２１】
図２に示すように、ハウジング２０の内部には基板２１が配置されており、この基板２１には複数のコネクタ２２が固定されている。それぞれのコネクタ２２には、上記のケーブル５を着脱可能に接続することができる。
【００２２】
ハウジング２０が有する背面側の壁部の下部（背面２０ｂの下部）には、横向きに長い略長方形状の開口部２０ｃが形成されている。この開口部２０ｃの大部分を閉鎖するように、ハウジング２０に閉鎖カバー４０が取り付けられている（ただし、図１では、閉鎖カバー４０が取り外された状態が描かれている）。
【００２３】
複数のケーブル５の一端は、上述の舶用機器等に電気的に接続され、他端は、開口部２０ｃを通過して、ハウジング２０の内部（筐体７の内部）のコネクタ２２に電気的に接続される。複数のケーブル５は、直線状に並べられた状態で、開口部２０ｃの近傍に着脱可能に取り付けられたケーブルクランプ３０によって保持されている。これにより、複数のケーブル５をまとめて取り扱うことができる。
【００２４】
図１に示すように、背面視で細長い長方形状に形成される開口部２０ｃにおいて、長手方向両側に位置する縁部（外周部）の下部には、ネジ孔２０ｖが形成されている。このネジ孔２０ｖには、ケーブルクランプ３０を取り付けるために用いられるボルト（保持部）３１がネジ結合により取り付けられている。ボルト３１は、開口部２０ｃが形成される筐体７の背面２０ｂに対して垂直に突出（ボルト３１の中心軸に沿って、水平に延伸）している。即ち、ボルト３１は、筐体７の開口部２０ｃが形成される面に対してほぼ垂直に延伸しているということができる。
【００２５】
上記のネジ孔２０ｖとは別に、ハウジング２０の開口部２０ｃの縁部（外周部）には、取付用ネジ孔２０ｔが複数形成される。この取付用ネジ孔２０ｔは、図２に示すネジ４１によって閉鎖カバー４０をハウジング２０に取り付けるために用いられる。
【００２６】
ボルト３１によりハウジング２０に固定された状態で、ケーブルクランプ３０は図１に示すように、一部が開口部２０ｃの内部に差し込まれ、残りが開口部２０ｃから外部に突出するように配置される。
【００２７】
以下では、ケーブルクランプ３０の詳細な構成について、主として図３及び図４を参照して説明する。図３は、ケーブルクランプ３０の構成を示す斜視図である。図４は、少なくとも一部のケーブル５をコネクタ２２に接続した状態で、ケーブルクランプ３０を筐体７から取り外した状態を示す斜視図である。
【００２８】
図３に示すように、ケーブルクランプ３０は、クランプ本体３２と、複数の保持部材３３，３４，３５と、を備える。
【００２９】
クランプ本体３２は、例えば金属等の材料により、細長いブロック状に形成されている。クランプ本体３２には、ケーブル取付溝３２ａ、ケーブル取付面３２ｂ、及び切欠き孔３２ｃ等が形成される。
【００３０】
ケーブル取付溝３２ａは、クランプ本体３２の上面に複数並べて形成されている。それぞれのケーブル取付溝３２ａは、上方を開放させるように形成されており、上方からケーブル５を入れることができる。また、ケーブル取付溝３２ａは、図１に示すようにケーブルクランプ３０をハウジング２０に取り付けたときに、背面側に向かうにつれて（コネクタ２２から遠ざかるにつれて）低くなるように、水平面に対してある程度（具体的には、１５°）傾斜するように形成されている。
【００３１】
ケーブル取付面３２ｂは、クランプ本体３２の上面に形成されている。ケーブル取付面３２ｂもケーブル取付溝３２ａと同様に、背面側に向かうにつれて低くなるように、水平面に対して１５°傾斜している。
【００３２】
この構成で、クランプ本体３２のケーブル取付溝３２ａにケーブル５を入れた状態で上方から保持部材３３，３４をネジ止めし、また、ケーブル取付面３２ｂにケーブル５を載せた状態で上方から保持部材３５をネジ止めすることで、ケーブル５を保持することができる（ただし、図３においてはケーブル５の図示が省略されている）。このとき、ケーブル取付溝３２ａの内面及びケーブル取付面３２ｂは、ケーブル５を適切な向きに案内するケーブル案内面として機能する。
【００３３】
保持部材３３，３４，３５は、例えば金属板を加工することにより構成されており、クランプ本体３２の上部に、ネジにより着脱可能に取り付けられている。それぞれの保持部材３３，３４，３５は、クランプ本体３２との間でケーブル５を挟むことができるように構成されている。ケーブル取付面３２ｂに取り付けられる保持部材３５には、逆Ｕ字状の湾曲部が形成されており、この内部にケーブル５を入れることができる。なお、図３においては、ケーブル取付溝３２ａ等の形状を分かり易く示すために、保持部材３３，３４，３５等を鎖線で透視的に描いている。
【００３４】
切欠き孔（掛合部、凹部）３２ｃは、クランプ本体３２の長手方向両端部に１対で設けられている。切欠き孔３２ｃは、ケーブルクランプ３０をハウジング２０の開口部２０ｃの近傍に取り付けるために用いられる。
【００３５】
クランプ本体３２の長手方向両端部には、当該長手方向に沿って突出する小さな凸部３２ｄが形成されており、この凸部３２ｄに前記切欠き孔３２ｃが配置されている。切欠き孔３２ｃは、図１のようにケーブルクランプ３０をハウジング２０に取り付けるときの姿勢において、下方が開放するように凹状に形成されている。
【００３６】
図３に示すように、切欠き孔３２ｃの周囲には、薄い板状の被取付部３２ｅが形成されている。この被取付部３２ｅには、切欠き孔３２ｃに軸部が差し込まれた状態のボルト３１の頭部が接触可能に構成されている。
【００３７】
クランプ本体３２において、コネクタ２２に近い側の上部には、上方に突出する複数の仕切り部３２ｆが形成されている。この仕切り部３２ｆは、例えば保持部材３３，３４，３５に水滴が付着した場合に、当該水滴がコネクタ２２側に流れるのを阻止することができる。
【００３８】
上記のとおり、ケーブルクランプ３０は、上記の切欠き孔３２ｃにボルト３１を差し込み、ネジ孔２０ｖに捩じ込むことにより取り付けられている。このとき、ボルト３１を締め付ける方向に回転させると、被取付部３２ｅが、ボルト３１の頭部と開口部２０ｃの縁部との間で挟み付けられる。これにより、ケーブルクランプ３０をハウジング２０に対して動かないように固定することができる。
【００３９】
一方で、ボルト３１をネジ孔２０ｖから完全に外さなくても、当該ボルト３１を緩める方向に少し回転させて被取付部３２ｅの挟み付けを解除し、ケーブルクランプ３０を少し持ち上げることで、ボルト３１の軸部が切欠き孔３２ｃから抜けて、固定を解除することができる。ケーブルクランプ３０の固定を解除した状態では、ケーブル５がコネクタ２２に接続されていても、当該ケーブル５を保持しているケーブルクランプ３０をある程度動かすことができ、例えば図４に示すように、ケーブルクランプ３０を開口部２０ｃの外側かつ下方へ若干離すこともできる。この図４の状態では図１の状態に比べて、開口部２０ｃ及びその周辺の空間を広く確保することができるので、ケーブル５をコネクタ２２に装着したり取り外したりする作業が容易になる。
【００４０】
また、図４に示した状態から、ハウジング２０から突出しているボルト３１の軸部がクランプ本体３２の切欠き孔３２ｃに入るようにして、被取付部３２ｅをボルト３１の頭部とハウジング２０の間に上方から差し込み、切欠き孔３２ｃをボルト３１の軸部に引っ掛けることで、ケーブルクランプ３０をハウジング２０の背面２０ｂに掛けた状態で保持することができる（仮置き状態）。この仮置き状態では、被取付部３２ｅが締め付けられておらずケーブルクランプ３０は自重でボルト３１に引っ掛かっているだけなので、ケーブルクランプ３０を持ち上げてハウジング２０から再び取り外すことも容易である。一方、上記の仮置き状態でボルト３１を締め付けることにより、ケーブルクランプ３０が動かないようにハウジング２０に固定することができる。
【００４１】
このように、本実施形態では、ボルト３１をネジ孔２０ｖから外すことなく、少し緩めるだけで、ケーブルクランプ３０をハウジング２０から取り外したり、逆に取り付けて仮置き状態にしたりすることができる。従って、ケーブル５の接続等を伴う設置、メンテナンス作業を容易に行うことができる。
【００４２】
また、本実施形態の表示装置１は、開口部の下縁から水平に突出するように床部を形成し、この床部にクランプを固定する構成ではないので、水が床部を伝って筐体の内部に入って浸水するおそれも軽減することができる。
【００４３】
更に、本実施形態では、ハウジング２０においてネジ孔２０ｖの周囲に位置する面が、ケーブルクランプ３０をハウジング２０に取り付けるための取付面となっているが、図２のようにハウジング２０の背面２０ｂが垂直となる向きで表示装置１を使用する場合、当該取付面も水平面に対してほぼ垂直となる。従って、当該取付面に水滴が溜まりにくいので、防水性を高めることができる。
【００４４】
更に言えば、本実施形態の表示装置１が使用される船舶では、航海時等に多少の揺れが生じる。しかしながら、本実施形態においては、ケーブル取付溝３２ａ及びケーブル取付面３２ｂが、背面側に向かうにつれて低くなるように、水平面に対して１５°傾斜して配置されている。従って、船舶の揺れ等により表示装置１が前側に傾いたとしても、その傾斜の大きさが１５°を上回らない限りは、ケーブルクランプ３０のケーブル取付溝３２ａ及びケーブル取付面３２ｂが、コネクタ２２から遠ざかるにつれて高くなるような傾斜とはならない。この結果、雨水等が表示装置１に掛かるような状況でも、水の筐体７内部への流れ込みを防止することができる。
【００４５】
次に、閉鎖カバー４０の詳細な構成について、主として図５を参照して説明する。図５は、閉鎖カバー４０の構成を示す斜視図である。
【００４６】
図５に示す閉鎖カバー４０は、ハウジング２０の開口部２０ｃ及びケーブルクランプ３０の上面（ケーブル取付溝３２ａ及びケーブル取付面３２ｂ等）を一体的に覆う金属製のカバーである。
【００４７】
図５に示すように、閉鎖カバー４０は、開口閉鎖部４０ａと、膨出部４０ｂと、第１押さえ部４０ｃと、１対の第２押さえ部４０ｄと、を主として備える。
【００４８】
開口閉鎖部４０ａは、横向きに長い長方形の板状の部分であり、ハウジング２０の開口部２０ｃを覆うことが可能な大きさに形成されている。開口閉鎖部４０ａの上端の縁部、及び左右両側の縁部には、ハウジング２０の取付用ネジ孔２０ｔに対応する複数の貫通孔４０ｆが形成される。
【００４９】
膨出部４０ｂは、開口閉鎖部４０ａの下端からハウジング２０の外側に向かって突出しており、ケーブルクランプ３０が開口部２０ｃから外部に突出する部分を覆うことができる。この膨出部４０ｂは、下方を開放させた中空状に構成されており、上面４０ｇと、垂直面４０ｈと、１対の側面４０ｋと、を有する。上面４０ｇは、ケーブルクランプ３０及びケーブル５等の上方に位置しており、開口部２０ｃから離れるにつれて低くなるように傾斜している。垂直面４０ｈは、傾斜状の上面４０ｇの下端部から下方に延びるように形成されており、開口閉鎖部４０ａと平行に配置されている。垂直面４０ｈの下端部には、ケーブル５が通過可能な切欠き４０ｅが、ケーブル５が並べられる向きに細長い形状に形成されている。１対の側面４０ｋは、ケーブルクランプ３０の長手方向端部及び前記ボルト３１の側方を覆うように構成されている。
【００５０】
第１押さえ部４０ｃは、開口閉鎖部４０ａの内面の下端から、開口部２０ｃの内部かつ下方に向かって斜めに突出している。この第１押さえ部４０ｃは、長方形状の開口部２０ｃの長手方向の寸法に実質的に相当する幅を有しており、その先端は、ケーブルクランプ３０の上端部（具体的には、クランプ本体３２が有する仕切り部３２ｆの上端面）に上方から接触することができる。これにより、膨出部４０ｂの内部に水滴が入ったとしても、当該水滴が開口部２０ｃの内部に入るのを広い範囲にわたって防止することができる。
【００５１】
第２押さえ部４０ｄは、長方形状の開口部２０ｃの長手方向両端部近傍の位置において、開口閉鎖部４０ａの下端から下方に延びるとともに、その先端部が開口部２０ｃから遠ざかるように斜めに曲げられている。第２押さえ部４０ｄの先端は、ケーブルクランプ３０のクランプ本体３２における長手方向両端部（凸部３２ｄの上面）に上方から接触することができる。
【００５２】
このような構成の閉鎖カバー４０は、貫通孔４０ｆの位置を図１の取付用ネジ孔２０ｔに合わせた状態で、図２に示すようにネジ４１によってハウジング２０に取り付けられる。これにより、開口部２０ｃの上部が開口閉鎖部４０ａで背面側から閉鎖されるとともに、開口部２０ｃから出ている部分のケーブルクランプ３０等が膨出部４０ｂによって覆われる。
【００５３】
開口閉鎖部４０ａと、膨出部４０ｂの上面４０ｇとは、１枚の金属板により一体的に形成されている。従って、開口閉鎖部４０ａと膨出部４０ｂの上面４０ｇとの境目から水が漏れてハウジング２０の内部に侵入するのを防止することができる。
【００５４】
また、閉鎖カバー４０をハウジング２０に取り付けることにより、第１押さえ部４０ｃ及び第２押さえ部４０ｄは、ケーブルクランプ３０の上面にそれぞれ接触する。この状態で、第１押さえ部４０ｃ及び第２押さえ部４０ｄは、例えば切欠き４０ｅを通じて膨出部４０ｂの内部に入った水滴が開口部２０ｃの内部に侵入しないための内部カバーとして実質的に機能する。これにより、防水性を一層高めることができる。
【００５５】
更に、第１押さえ部４０ｃ及び第２押さえ部４０ｄがケーブルクランプ３０の上方への移動を規制するので、より強固にケーブルクランプ３０をハウジング２０に固定することができる。また、閉鎖カバー４０及びケーブルクランプ３０が何れも金属製であるので、第１押さえ部４０ｃ及び第２押さえ部４０ｄによって閉鎖カバー４０とケーブルクランプ３０との間で電気的導通を得ることができ、電磁両立性が向上することも期待できる。
【００５６】
続いて、本実施形態に係る表示装置１において、複数のケーブル５を取り付ける方法について説明する。
【００５７】
まず、ケーブルクランプ３０及び閉鎖カバー４０がハウジング２０から取り外された状態で、ネジ孔２０ｖにボルト３１を少し捩じ込んで、ボルト３１の軸部がネジ孔２０ｖから突出して露出するように取り付けておく。また、ケーブルクランプ３０に複数のケーブル５を固定する。
【００５８】
次に、ケーブルクランプ３０を、クランプ本体３２の切欠き孔３２ｃにボルト３１の軸部が入るように引っ掛けて、仮置きする。これにより、ケーブルクランプ３０の一部と、ケーブルクランプ３０に保持されているケーブル５の先端部と、が開口部２０ｃに差し込まれた状態となる。
【００５９】
続いて、それぞれのケーブル５の先端部を、コネクタ２２に接続する。このとき、ケーブル５が開口部２０ｃの内部で混み合っている等の理由で、一部のケーブル５をコネクタ２２に接続しにくい場合には、上記の仮置きを解除して、図４のようにケーブルクランプ３０をハウジング２０から再び（一時的に）取り外しても良い。これにより、ケーブル５とコネクタ２２とを接続するための作業スペースを広く確保することができ、接続作業が行い易くなる。
【００６０】
全てのケーブル５をコネクタ２２に接続した後、ボルト３１を締め付けてケーブルクランプ３０を動かないように固定し、更に閉鎖カバー４０をネジ４１により固定する。以上により、図２に示すように、ケーブル５を表示装置１に取り付けることができる。
【００６１】
以上に説明したように、本実施形態の表示装置１は、筐体７と、ケーブルクランプ３０と、を備える。筐体７は、開口部２０ｃと、ボルト（保持部）３１と、を有し、ケーブル５を接続するコネクタ２２が内部に収容される。ボルト３１は、開口部２０ｃの縁部（外周部）に配置される。ケーブルクランプ３０は、ケーブル固定部（具体的には、ケーブル取付溝３２ａ及びケーブル取付面３２ｂ）と、切欠き孔（掛合部）３２ｃと、を有する。前記ケーブル固定部は、複数のケーブル５を固定する。切欠き孔３２ｃは、ボルト３１に掛合する。
【００６２】
これにより、ボルト３１と切欠き孔３２ｃとの掛合（引っ掛かり）によって、筐体７の開口部２０ｃの近傍にケーブルクランプ３０を配置することができるので、例えばケーブルクランプ３０に固定した複数のケーブル５を筐体７内のコネクタ２２に接続する作業が行い易くなる。また、ボルト３１を、切欠き孔３２ｃに掛合することが可能な範囲で小さく構成することができるので、ボルト３１の部分に水が溜まりにくくすることができ、防水効果を高めることができる。
【００６３】
また、本実施形態において、ボルト３１は、開口部２０ｃの両側縁部（両側壁）に配置される。
【００６４】
また、本実施形態において、切欠き孔３２ｃは、ケーブルクランプ３０の両端部に配置される。
【００６５】
これにより、ケーブルクランプ３０の両端部の切欠き孔３２ｃが、開口部２０ｃの両側縁部のボルト３１に引っ掛かり、安定的に支持される。
【００６６】
また、本実施形態において、前記保持部は突起（具体的には、ボルト３１）であり、前記掛合部は逆Ｕ字状の凹部（下方を解放した凹部）である。
【００６７】
これにより、簡単な構成で、掛合部を保持部に引っ掛けることができる。
【００６８】
また、本実施形態において、前記突起は、その中心軸に沿って水平方向に延伸する棒状部材（具体的には、ボルト３１）である。
【００６９】
これにより、簡素な突起の構成を実現することができる。
【００７０】
また、本実施形態において、前記突起は、筐体７において開口部２０ｃが形成される面（背面２０ｂ）に対して垂直に延伸する。
【００７１】
これにより、突起としてのボルト３１と切欠き孔３２ｃとを簡単な構成とすることができる。
【００７２】
また、本実施形態において、前記突起は、筐体７の垂直な面（具体的には、背面２０ｂ）に対して垂直に延伸している。ただし、背面２０ｂは、厳密に垂直である必要はなく、ほぼ垂直であればよい。
【００７３】
これにより、ケーブルクランプ３０を筐体７のほぼ垂直な面に対して壁掛けするように取り付けることができる。
【００７４】
また、本実施形態において、前記突起は、筐体７にネジ結合するボルト３１である。
【００７５】
これにより、簡素かつ安価な突起の構成を実現することができる。また、ボルト３１にケーブルクランプ３０を引っ掛けたままの状態でボルト３１を回すことにより、ケーブルクランプ３０を着脱することができる。
【００７６】
また、本実施形態では、ケーブルクランプ３０において、切欠き孔３２ｃの周囲に、３１ボルトの頭部と筐体７との間に挟まれる被取付部３２ｅが形成されている。
【００７７】
これにより、ボルト３１を回転させることで、ケーブルクランプ３０を筐体７から容易に取り外すことが可能な仮置き状態と、ケーブルクランプ３０を筐体７に強固に固定した状態と、を簡単に切り換えることができる。
【００７８】
また、本実施形態において、前記ケーブル固定部は、前記ケーブルを案内するためのケーブル取付溝３２ａ及びケーブル取付面３２ｂを有する。切欠き孔３２ｃをボルト３１に掛合した状態で、ケーブル取付溝３２ａの内面及びケーブル取付面３２ｂが水平面に対して１５°傾斜している。
【００７９】
これにより、１５°までの傾斜であれば、上記のケーブル取付溝３２ａの内面及びケーブル取付面３２ｂを伝って水が開口部２０ｃの内部に侵入することを防止することができる。
【００８０】
また、本実施形態において、表示装置１は、筐体７の開口部２０ｃを閉鎖する閉鎖カバー４０を備える。閉鎖カバー４０は、ケーブルクランプ３０の上方を覆うように筐体７に取り付けられる。
【００８１】
これにより、ケーブルクランプ３０に水が掛かるのを簡素な構成で防止して、防水性を高めることができる。
【００８２】
また、本実施形態において、切欠き孔３２ｃがボルト３１に掛合された状態で、閉鎖カバー４０は、切欠き孔３２ｃとボルト３１との掛合を解除する方向のケーブルクランプ３０の移動を規制する。
【００８３】
これにより、ケーブルクランプ３０が筐体７から不意に外れることを閉鎖カバー４０によって防止することができる。
【００８４】
また、本実施形態において、表示装置１に対するケーブル５の取付けは、以下のように行われる。即ち、ケーブルクランプ３０に複数のケーブル５を固定し、複数のケーブル５を固定した状態のケーブルクランプ３０において、当該ケーブルクランプ３０に設けられる切欠き孔（掛合部）３２ｃを、表示装置１の筐体７に形成された開口部２０ｃの縁部（外周部）に設けられるボルト（保持部）３１に掛合する。
【００８５】
このケーブル取付方法により、簡単に、複数のケーブル５を表示装置１に取り付けることができる。
【００８６】
＜第２実施形態＞
次に、図６を参照して、本発明の第２実施形態に係る表示装置２の構成について説明する。図６は、第２実施形態の表示装置２において、閉鎖カバーを取り外した状態を示す後方斜視図である。なお、本実施形態の説明においては、前述の実施形態と同一又は類似の部材には図面に同一の符号を付し、説明を省略する場合がある。
【００８７】
第２実施形態の表示装置２は、図６に示すように、筐体７（ハウジング２０）が１対のボルト３１に代えて１対の軸部材７１を備えている点で、上述の第１実施形態とは異なっている。また、ケーブルクランプ３０が備えるクランプ本体３２において、１対の切欠き孔３２ｃに代えて１対のＵ字溝３２ｕが形成されている点で、第１実施形態とは異なっている。
【００８８】
図６に示す軸部材（突起、保持部）７１は、ケーブルクランプ３０をハウジング２０の開口部２０ｃの近傍に取り付けるときに用いられる。具体的には、背面視で細長い長方形状に形成される開口部２０ｃにおいて、長手方向両側に位置する縁部（外周部）の下部に、背面側に突出するボス部７２が形成されている。１対のボス部７２のそれぞれには、互いに近づく向きに突出する前記軸部材７１が形成されている。それぞれの軸部材７１は円柱状に形成されており、互いに同一の軸線を有するように配置されている。また、軸部材７１の有する軸線は、筐体７において開口部２０ｃが形成されている面（背面２０ｂ）に対して平行に、かつ水平に設けられている。
【００８９】
ケーブルクランプ３０のクランプ本体３２においては、上述の第１実施形態において形成されていた凸部３２ｄが省略され、代わりにＵ字溝（掛合部）３２ｕが形成されている。Ｕ字溝３２ｕは、ケーブルクランプ３０の長手方向両側に１対で配置される。また、それぞれのＵ字溝３２ｕは、下方が開放した逆Ｕ字状に形成されている。Ｕ字溝３２ｕは、軸部材７１を収容可能な大きさに形成されており、軸部材７１を引っ掛けることができる。
【００９０】
以上の構成で、軸部材７１にＵ字溝３２ｕを引っ掛けることにより、ケーブルクランプ３０を開口部２０ｃの下端部近傍に仮置きすることができる。また、本実施形態では、この仮置きの状態で、ケーブルクランプ３０を、軸部材７１の軸線を中心として回転させ、ケーブルクランプ３０の向きを変更することができる。そのため、仮置き状態のままでも（ケーブルクランプ３０を筐体７から取り外さなくても）作業空間を確保し易くなるので、ケーブル５をコネクタ２２に接続したり取り外したりする作業が容易になる。
【００９１】
次に、第２実施形態のハウジング２０及びケーブルクランプ３０を流用して、電子機器としての制御装置２ｘを構成した例について、図７を参照して説明する。図７は、制御装置２ｘを示す斜視図である。
【００９２】
図７に示す制御装置２ｘは、ハウジング２０と、底板９５と、を備える。制御装置２ｘの筐体７ｘは、ハウジング２０と、底板９５と、により構成されている。この制御装置２ｘは、図６に示す表示装置２から表示機能を省略したものに相当する。
【００９３】
この制御装置２ｘにおいて、ハウジング２０は、開口部２０ｃを上方に向けるように配置されて、底板９５に固定される。つまり、開口部２０ｃは、筐体７ｘ（ハウジング２０）の上面２０ｂｘに形成されることになる。このようなレイアウトでも、ケーブルクランプ３０をハウジング２０の軸部材７１を中心にして適宜回転させることで、図７に示すように、開口部２０ｃから横向きに引き出すようにケーブル５を案内することができる。図７には示されていないが、開口部２０ｃ及びケーブルクランプ３０の上方は、適宜の構成の閉鎖カバーによって閉じられる。
【００９４】
このように、表示装置２と制御装置２ｘとで部品の共通化を図ることができるので、製造コストを全体として低減することができる。
【００９５】
以上に説明したように、本実施形態の表示装置２（制御装置２ｘ）においては、突起としての軸部材７１は、筐体７において開口部２０ｃが形成される背面２０ｂ（上面２０ｂｘ）に対して平行に延伸する。
【００９６】
これにより、簡素な構成で、軸部材７１にＵ字溝３２ｕを引っ掛けることができる。
【００９７】
また、本実施形態においては、Ｕ字溝３２ｕを軸部材７１に掛合した（引っ掛けた）状態で、軸部材７１の軸線を中心としてケーブルクランプ３０を回転可能である。
【００９８】
これにより、ケーブルクランプ３０がケーブル５を案内する向きを変更できるので、ケーブルクランプ３０を筐体７から取り外さなくても、開口部２０ｃの周囲の作業空間を確保することができる。また、図６及び図７に示すように開口部２０ｃの向きが異なる場合にも対応できるので、ケーブルクランプ３０等の汎用性を高めることができる。
【００９９】
以上に本発明の好適な実施の形態を説明したが、上記の構成は例えば以下のように変更することができる。
【０１００】
ケーブル取付溝３２ａ及びケーブル取付面３２ｂの傾斜角度は、１５°に限定されず、これより大きくても小さくても良い。ただし、水の浸入に対する保護等級として２級（ＩＰＸ２）を実現する観点からは、上記の傾斜角度は１５°以上であることが好ましい。
【０１０１】
第１実施形態において、掛合部としてのボルトがケーブルクランプ側に設けられ、保持部としての切欠き孔が筐体側に設けられても良い。この場合、切欠き孔が上方に開放した形状に構成すると、ケーブルクランプ等の自重により、ボルトと切欠き孔とが引っ掛かった状態を維持することができる。同様に、第２実施形態において、掛合部としての軸部材がケーブルクランプ側に設けられ、保持部としてのＵ字溝が筐体側に設けられても良い。このように、突起と凹部の関係が逆になっても良い。
【０１０２】
保持部及び掛合部は、互いに引っ掛けることができる限り、上記の構成に限定されない。例えば、第１実施形態において、ボルト３１に代えて、Ｌ字に折り曲げられたフック状の突起を設け、切欠き孔３２ｃに代えて、（下方が開放されていない）丸孔を貫通状に形成しても良い。
【０１０３】
第１実施形態において、ボルト３１の軸部（ネジ軸）を長く形成しても良い。この場合、ボルト３１を大きく緩めることで、切欠き孔３２ｃがボルト３１に引っ掛かった状態のまま、ケーブルクランプ３０を筐体７から十分に離して、作業空間を大きく確保することができる。
【０１０４】
第２実施形態において、Ｕ字溝３２ｕが軸部材７１から外れるのを阻止する外れ止め機構、及び、ケーブルクランプ３０の回転を阻止する回転止め機構が設けられても良い。この外れ止め機構及び回転止め機構としては、例えば、ネジ止めにより固定する構成、及び、ピンを差し込んで固定する構成等が考えられる。また、開口部２０ｃを閉鎖する閉鎖カバーによって、外れ止め及び回転止めを実現しても良い。
【０１０５】
筐体７の形状、筐体７（ハウジング２０）において開口部２０ｃが形成される面、開口部２０ｃの形状、ボルト３１（軸部材７１）の位置、切欠き孔３２ｃ（Ｕ字溝３２ｕ）の位置、及びコネクタ２２の配置等は、装置の仕様等に応じて適宜変更することができる。例えば、第１実施形態において、コネクタ２２をハウジング２０ではなく表示部１０の内部に配置するように変更することができる。
【０１０６】
ケーブル取付溝３２ａ及びケーブル取付面３２ｂの数、形状及び位置は、筐体７に接続するケーブル５の本数及び太さ等に応じて適宜変更することができる。
【０１０７】
本発明は、上述した表示装置１，２及び制御装置２ｘに限定されず、他の構成の電子機器に適用することもできる。
【符号の説明】
【０１０８】
１，２  表示装置（電子機器）
２ｘ  制御装置（電子機器）
５  ケーブル
７，７ｘ  筐体
１０  表示部
２０  ハウジング
２０ｂ  背面
２０ｃ  開口部
２１  コネクタ
３０  ケーブルクランプ
３１  ボルト（保持部、突起）
３２ｃ  切欠き孔（掛合部、凹部）
３２ｅ  被取付部
３２ｕ  Ｕ字溝（掛合部、凹部）
７１  軸部材（保持部、突起）
【図１】
2018007406.tif 000003
【図２】
2018007406.tif 000004
【図３】
2018007406.tif 000005
【図４】
2018007406.tif 000006
【図５】
2018007406.tif 000007
【図６】
2018007406.tif 000008
【図７】
2018007406.tif 000009